(57)【特許請求の範囲】
【請求項１】
広帯域移動通信システムの受信装置において、
受信信号を基底帯域信号に変換する周波数下降変換器と、
前記基底帯域信号をディジタル信号に変換するディジタル変換器と、
前記ディジタル信号を予め設定されたデシメーション比率に従ってデシメーションするデシメーションフィルタと、
前記デシメーションフィルタの出力に含まれている狭帯域干渉信号を検出し、前記狭帯域干渉信号を除去する干渉除去器と、
前記干渉除去器の出力を復調する復調器とからなり、
前記干渉除去器は、
前記デシメーションフィルタの出力に含まれた狭帯域干渉信号を検出し、前記検出された狭帯域干渉信号による制御信号及び対応される搬送波周波数を出力する検出器と、
前記制御信号のそれぞれに応答して動作し、前記搬送波周波数により前記デシメーションフィルタの出力に含まれた前記狭帯域干渉信号を直列な処理によりそれぞれ除去する直列に配置される複数の干渉除去フィルタとからなる
ことを特徴とする装置。
【請求項２】
前記検出器は、
前記デシメーションフィルタの出力を高速フーリエ変換する高速フーリエ変換器と、
前記フーリエ変換された信号のエネルギーの大きさを所定臨界値と比較して、前記臨界値より大きなエネルギーの大きさを有する信号を前記狭帯域干渉信号に判断する比較器と、
前記比較器からの前記狭帯域干渉信号をエネルギーの大きさ順に整列する分類器と、
前記整列された狭帯域干渉信号中でエネルギーの大きさが大きな順に所定個数の狭帯域干渉信号を選択し、前記選択された狭帯域干渉信号に該当する搬送波周波数を出力する選択器と、
からなることを特徴とする請求項１に記載の装置。
【請求項３】
前記選択器が、前記整列された信号中で前記干渉除去フィルタの個数だけの信号を選択することを特徴とする請求項２に記載の装置。
【請求項４】
前記干渉除去フィルタのそれぞれが有限インパルス応答(ＦＩＲ)フィルタであることを特徴とする請求項１に記載の装置。
【請求項５】
前記デシメーションフィルタが、少なくとも二つ以上のフィルタと一つ以上のデシメータがインタレースされ連結され、前記それぞれのデシメータは予め設定されたデシメーション比率を有することを特徴とする請求項１に記載の受信装置。
【請求項６】
広帯域移動通信システムで受信される信号の狭帯域干渉を除去する装置において、
前記受信される信号をディジタル信号に変換するディジタル変換器と、
前記ディジタル受信信号に含まれた狭帯域干渉信号を検出し、前記検出された信号による制御信号及び対応される搬送波周波数を出力する検出器と、
前記制御信号のそれぞれに応答して前記搬送波周波数により前記ディジタル受信信号をフィルタリングして、前記ディジタル受信信号に含まれた狭帯域干渉信号を直列な処理によりそれぞれ除去する直列に配置される複数の干渉除去フィルタと、
からなることを特徴とする装置。
【請求項７】
前記検出器は、
前記ディジタル受信信号を高速フーリエ変換する高速フーリエ変換器と、
前記フーリエ変換された信号のエネルギーの大きさを所定臨界値と比較して、前記臨界値より大きなエネルギーの大きさを有する信号を前記狭帯域干渉信号に判断する比較器と、
前記比較器からの前記狭帯域干渉信号をエネルギーの大きさ順に整列する分類器と、
前記整列された狭帯域干渉信号中で、エネルギーの大きさが大きな順に所定個数の狭帯域干渉信号を選択し、前記選択された狭帯域干渉信号に該当する搬送波周波数を出力する選択器と、
からなることを特徴とする請求項６に記載の装置。
【請求項８】
前記選択器が、前記整列された信号中で前記干渉除去フィルタの個数だけの信号を選択することを特徴とする請求項７に記載の装置。
【請求項９】
前記干渉除去フィルタのそれぞれが有限インパルス応答(ＦＩＲ)フィルタであることを特徴とする請求項６に記載の装置。
【請求項１０】
広帯域移動通信システムで受信される信号の狭帯域干渉を除去する方法において、
前記受信信号をディジタル信号に変換する過程と、
前記ディジタル受信信号に含まれた狭帯域干渉信号を検出し、前記検出された信号による制御信号及び対応される搬送波周波数を出力する過程と、
前記制御信号のそれぞれに応答して、直列に配置される複数の干渉除去フィルタを用いて、前記搬送波周波数により前記ディジタル受信信号をフィルタリングして前記狭帯域干渉信号を直列な処理によりそれぞれ除去する過程と、
からなることを特徴とする方法。
【請求項１１】
前記制御信号を出力する過程は、
前記ディジタル受信信号を高速フーリエ変換する過程と、
前記フーリエ変換された信号のエネルギーの大きさを所定臨界値と比較して、前記臨界値より大きなエネルギーの大きさを有する信号を前記狭帯域干渉信号に判断する過程と、
前記狭帯域干渉信号をエネルギーの大きさ順に整列する過程と、
前記整列された狭帯域干渉信号中で、エネルギーの大きさが大きな順に所定個数の狭帯域干渉信号を選択し、前記選択された狭帯域干渉信号に該当する搬送波周波数を出力する過程と、
からなることを特徴とする請求項１０に記載の方法。
【請求項１２】
前記狭帯域干渉信号を除去する過程は、有限インパルス応答(ＦＩＲ)フィルタを使用して前記ディジタル受信信号をフィルタリングすることを特徴とする請求項１１に記載の方法。
【発明の詳細な説明】
【０００１】
【発明の属する技術分野】
本発明は広帯域移動通信システムの受信装置及び方法に関するもので、特に広帯域受信信号に含まれている狭帯域干渉(interference)を除去することができる装置及び方法に関する。
【０００２】
【従来の技術】
移動通信システムは与えられた無線周波数資源を利用して端末に無線通信サービスを提供する。しかし、実際的に無線環境で発生することができる各種干渉により移動通信システムの性能が劣化され、最悪の状況では動作が不可能になることができる。従って、このような干渉に対する技術的な対応が必要である。
【０００３】
一般的に移動通信システムで発生する干渉は、同一の周波数干渉と近接周波数干渉に大別することができる。同一の周波数干渉には同一の周波数を使用する基地局間の干渉と、不法無線局などのような他のシステムからの干渉がある。近接周波数干渉には近接した周波数を使用する同一システム内の基地局間の干渉と、隣接したシステム間の干渉がある。
【０００４】
現在の広帯域移動通信システムで一番致命的な干渉は、同一の周波数資源を使用する他のシステムからの強い狭帯域干渉(narrow-band interference)ということができる。移動通信基地局システムで前記狭帯域干渉はシステム性能劣化及び通話途絶現象をもたらすことができる。前記狭帯域干渉を除去するために、従来には下記のような方法を使用している。
【０００５】
一番目の方法は、中間周波数帯域で狭帯域干渉除去フィルタを使用する方法である。即ち、狭帯域干渉信号が受信されると、高速干渉信号検出受信部でこれを検出し、前記検出した周波数を中間周波数に変換する。以後、前記中間周波数に変換された信号はフィルタを適用して干渉信号を除去した後、元の周波数に再変換する方法である。このような方法は装置の容量が重く、大型であり、消費電力も他の装置に比べて大きくなる短所がある。
【０００６】
二番目の方法は、フィルタと高速フーリエ変換(Fast Fourier Transform)方式を適用して狭帯域干渉を抑圧する方法である。即ち、高電力を有する干渉信号に対しては搬送波周波数でフィルタを適用して抑圧し、低電力を有する干渉信号に対しては量子化した後、高速フーリエ変換(Fast Fourier Transform)及び高速フーリエ逆変換(Inverse Fast Fourier Transform)方式を使用して抑圧する。しかし、上述したような二番目の狭帯域干渉除去方法は、干渉信号の電力に応じて相異なる技術を使用することによって、装置が複雑になり、高速フーリエ変換及び逆変換(Fast Fourier Transform、Inverse Fast Fourier Transform)を遂行するようになるので、受信信号の遅延時間が増加する短所がある。
【０００７】
三番目の方法は、適応型ディジタルフィルタを使用して狭帯域干渉を抑圧する方法である。これは搬送波周波数で入力された信号に対してその周波数を低めて、電力利得を調整した後に量子化してディジタル変換する。このようなディジタル信号から干渉信号を検出する。前記検出された干渉信号は適応型ディジタル無限長さインパルス反応(Infinite Impulse Response:ＩＩＲ)フィルタにより干渉が除去される。しかし、上述したような三番目の狭帯域干渉除去方法は、干渉信号に適応するＩＩＲフィルタを使用することによって複雑度が増加する問題点がある。
【０００８】
【発明が解決しようとする課題】
従って、本発明の目的は、移動通信システムで狭帯域干渉信号により発生される通信途絶現象を防止するために、受信信号で狭帯域干渉を除去することができる装置及び方法を提供することにある。
【０００９】
本発明の他の目的は、移動通信システムの基底帯域で狭帯域干渉を除去することができる装置及び方法を提供することにある。
【００１０】
本発明のさらに他の目的は、受信信号をディジタル変換し、デシメーションして基底帯域信号に変換した後、基底帯域で干渉を除去することができる装置及び方法を提供することにある。
【００１１】
【課題を解決するための手段】
前記目的を達成するための本発明の実施形態による広帯域移動通信システムの受信装置は、受信信号を基底帯域信号に変換する周波数下降変換器と、前記基底帯域信号をディジタル信号に変換するディジタル変換器と、前記ディジタル信号を予め設定されたデシメーション比率に従ってデシメーションするデシメーションフィルタと、前記デシメーションフィルタの出力に含まれている狭帯域干渉信号を検出し、前記検出された狭帯域干渉信号を除去する干渉除去器と、前記干渉除去器の出力を復調する復調器と、からなることを特徴とする。
【００１２】
前記目的を達成するための本発明の実施形態による広帯域移動通信システムで受信される信号の狭帯域干渉を除去する方法は、受信信号をディジタル変換する過程と、前記ディジタル受信信号に含まれた狭帯域干渉信号を検出し、前記検出された信号による制御信号及び対応される搬送波周波数を出力する過程と、前記制御信号のそれぞれに応答して前記搬送波周波数により前記ディジタル受信信号をフィルタリングして前記狭帯域干渉信号を除去する過程と、からなることを特徴とする。
【００１３】
【発明の実施形態】
以下、本発明の望ましい実施形態について添付図を参照しつつ詳細に説明する。下記の発明において、本発明の要旨のみを明瞭にする目的で、関連した公知機能又は構成に関する具体的な説明は省略する。
【００１４】
図１は本発明の実施形態による移動通信システムが基底帯域で狭帯域干渉を除去する装置の構成を示す図である。
前記図１を参照すると、第１フィルタ１０２は帯域フィルタ(Band Pass Filter)として、アンテナ１０１を通じて受信される信号中で所望する受信帯域の信号をろ波する。下降変換器(down converter)１０３は前記第１フィルタ１０２で出力される前記所望する受信帯域の信号を下降変換(frequency down conversion)して中間周波数帯域の信号を発生する。第２フィルタ１０４は前記下降変換器１０３により下降変換された信号をろ波する機能を遂行する。利得制御器(automatic gain controller:ＡＧＣ)１０５は前記第２フィルタ１０４で出力される信号の利得を制御する。ディジタル変換器(Analog to Digital Converter:ＡＤＣ)１０６は前記利得制御器１０５で利得制御されたアナログ信号をディジタル信号に変換する機能を遂行する。
【００１５】
移動通信システムで受信ダイバシティ機能を遂行する場合、上述したような第１フィルタ１０２からディジタル変換器１０６までの受信経路は、多数個で構成されることができる。前記図１は受信ダイバシティを採択してアンテナと受信経路を二重化(duplicate)する移動通信システムの構成を示している。しかし、受信ダイバシティ機能を採択しない移動通信システムでも本発明の実施形態による干渉除去装置は同一に使用されることができる。
【００１６】
デシメーションフィルタ(decimation filter)１０７は前記変換されたディジタル信号のサンプルを所定デシメーション比率に従ってデシメーションする。干渉除去器(Interference Canceller)１０８は前記デシメーションされた信号から干渉を除去する。モデム(Modulator and Demodulator：ＭＯＤＥＭ)１０９は前記干渉除去器１０８から出力される信号を復調して受信しようとする情報を抽出する。
【００１７】
前記図１のような構成を通じて狭帯域干渉を除去する動作をより詳細に説明すると、前記アンテナ１０１を通じて受信される信号は無線周波数(Radio Frequency:ＲＦ)帯域の信号であり、前記第１フィルタ１０２は前記受信されるＲＦ信号で所望する周波数帯域のみを大略的にフィルタリングする。前記下降変換器１０３は前記第１フィルタ１０２によりろ波されたＲＦ信号を特定帯域信号に下降周波数変換する。これは高い周波数帯域のＲＦ信号を一度に基底帯域信号に変換すると、信号の特性に歪曲が発生されることができるからである。従って、ＲＦ信号の周波数は前記ＲＦ信号の周波数帯域より低く、基底帯域よりは高い特定帯域(中間周波数帯域)に変換され、以後、前記中間周波数帯域から基底帯域に変換される。
【００１８】
前記第２フィルタ１０４は前記第１フィルタ１０２により帯域ろ波された信号をより精密にろ波する。前記利得制御器１０５は前記第２フィルタ１０４から出力される信号の電力強さを一定に維持させ、前記ディジタル変換器１０６は前記利得制御されたアナログ信号を高速のディジタル信号に変換する。このように変換された前記ディジタル信号は、一つの元のシンボルに対して多くのサンプリングされた値を有するようになるので、前記デシメーションフィルタ１０７は前記干渉除去器１０８が狭帯域干渉を容易に処理することができるように前記サンプリングされた信号に対してデシメーションを遂行する。すると、前記干渉除去器１０８は前記デシメーションフィルタ１０７でデシメーション結果を有して狭帯域干渉を除去する。モデム１０９は前記干渉除去器１０８からの信号を復調する。
【００１９】
前記図１に図示されたように本発明の実施形態による移動通信システムで狭帯域干渉信号を除去する装置は、受信信号をディジタル変換し、前記ディジタル変換されたデータをデシメーションして基底帯域に変換した後、基底帯域で干渉を除去することにより、ＲＦ帯域で干渉を除去するか、ＲＦ帯域と基底帯域で同時に干渉を除去する従来の方法に比べて、少ない材料費用と空間を占める。
【００２０】
図２は図１のデシメーションフィルタ１０７の詳細構成を示す図である。
前記図２を参照すると、デシメーションフィルタ１０７はｎ個のフィルタ２１１−２１ｎとｎ個のデシメータ２２１−２２ｎで構成され、前記フィルタ２１１−２１ｎ及び前記デシメータ２２１−２２ｎはそれぞれインタレース(interlaced)される形態に直列連結される。即ち、フィルタ２１１の出力端にデシメータ２２１が連結され、前記デシメータ２２１は前記フィルタ２１１で出力されるサンプルを予め設定されたデシメーション比率(ｄ１)に従ってデシメーションする。そして前記デシメータ２２１の出力端に次のフィルタ２１２が連結され、前記フィルタ２２１の出力端に次のデシメータ２２２が連結され、前記デシメータ２２２は前記フィルタ２２１で出力されるサンプルを予め設定されたデシメーション比率(ｄ２)に従ってデシメーションする。類似に残りのフィルタ２１ｎと残りのデシメータ２２ｎが直列連結される。上述したような方法に前記フィルタ２１１−２１ｎと前記デシメータ２２１−２２ｎがインタレースされる形態に連結されデシメーション機能を遂行する。
【００２１】
例えばＣＤＭＡ(Code Division Multiple Access)システムの場合、前記ディジタル変換器１０６から出力される信号がチップ(chip)当たり６４個のサンプルで構成され、３個のデシメータ２２１−２２３のデシメーション比率がｄ１＝８、ｄ２＝２、そしてｄ３＝２と仮定すると、前記デシメータ２２１は前記ｄ１＝８の比率にデシメーション機能を遂行するようになるので、前記デシメータ２２１から出力されるサンプルの数は６４／８＝８に低減する。従って、前記デシメータ２２１−２２３を通じてデシメーションされ最終出力されるサンプルの数は、チップ当たり６４／８／２／２＝２になる。このように前記デシメータ２２１−２２ｎのデシメーション比率ｄ１〜ｄｎの値は、前記ディジタル変換器１０６の出力サンプル数と干渉除去器１０８の入力サンプル数に適合するようにデザインされる。
【００２２】
前記図２で、前記一番目のフィルタ２１１に入力される信号は前記ディジタル変換器１０６の出力信号である。前記フィルタ２１１は前記デシメータ２２１でサンプル数をデシメーションする過程で発生する誤りを予め補正する。前記フィルタ２１１の出力信号は前記デシメータ２２１の入力になり、前記デシメータ２２１はｄ１の比率に前記入力信号のサンプル数を低減する動作を遂行する。これと同一の方法に、前記フィルタ２１１〜２１ｎと前記デシメータ２２１〜２２ｎは前記ディジタル変換された信号のサンプル数を減少させる。
【００２３】
図３は図１の干渉除去器１０８の詳細構成を示す図として、本発明の実施形態によって基底帯域でディジタル変換信号に含まれた狭帯域干渉を除去するための構成を示す図である。
前記図３を参照すると、前記干渉除去器１０８に入力される信号は前記デシメーションフィルタ１０７の出力信号であり、検出器(detector)３０２及び一番目の干渉除去フィルタ３１１に同時に印加される。前記一番目の干渉除去フィルタ３１１は残りのｍ−１個の干渉除去フィルタ３１２−３１ｍに直列連結される構造を有し、前記干渉除去フィルタ３１１−３１ｍはそれぞれ前記検出器３０２の制御下で動作する。
【００２４】
前記検出器３０２は前記デシメーションフィルタ１０７から受信された信号で狭帯域干渉信号の存在有無とその個数を検出し、また前記検出された狭帯域干渉信号の搬送波周波数(carrier frequency)を判断する。そして前記検出器３０２は前記狭帯域干渉信号の存在有無とその個数及び搬送波周波数を利用して制御情報を生成し、前記干渉除去フィルタ３１１〜３１ｍに提供する。前記検出器３０２により生成される制御情報は、前記干渉除去フィルタ３１１〜３１ｍそれぞれの動作をエネイブル／デセイブルすることができるＯＮ／ＯＦＦフラグを含む。
【００２５】
前記干渉除去フィルタ３１１〜３１ｍのそれぞれは、前記検出器３０２からＯＮ／ＯＦＦフラグを受信する。この時、前記受信されたフラグがＯＮである場合、対応される干渉除去フィルタが動作し、ＯＦＦである場合、対応される干渉除去フィルタは動作しなく、入力される信号がバイパス(bypass)される。
【００２６】
例えば、前記干渉除去器１０８に入力された信号がｍ−３個の狭帯域干渉周波数信号(即ち、干渉スペクトラ)で構成された狭帯域干渉を含めていると判断されると、前記検出器３０２は前記干渉除去フィルタ３１１〜(３１ｍ−３)に提供されるＯＮ／ＯＦＦフラグをＯＮに設定し、前記狭帯域干渉信号それぞれの搬送波周波数を前記干渉除去フィルタ３１１〜(３１ｍ−３)に提供する。そして、前記検出器３０２は残りの干渉除去フィルタ(３１ｍ−２)〜３１ｍに提供されるＯＮ／ＯＦＦフラグをＯＦＦに設定する。
【００２７】
前記検出器３０２から上述したようなフラグオン信号及び搬送波周波数を受信した前記干渉除去フィルタ３１１〜(３１ｍ−３)は、前記検出器３０２で出力される該当する狭帯域干渉信号の搬送波周波数を利用して干渉除去フィルタリングのための係数を計算し、前記係数を利用してフィルタリングを遂行する。このようにして前記干渉除去フィルタ３１１〜(３１ｍ−３)はそれぞれ該当する一つの狭帯域干渉信号を除去するようになる。そして前記検出器３０２からフラグオフ信号を受信した残りの干渉除去フィルタ(３１ｍ−２)〜３１ｍはフィルタリング動作を遂行しなく、入力される信号をそのままバイパスさせる。
【００２８】
この時、前記干渉除去器１０８に設けられた干渉除去フィルタの個数が入力信号の狭帯域干渉信号の個数より少ない場合、前記狭帯域干渉信号を高いエネルギー順に順次的に干渉除去フィルタを利用して除去する。
【００２９】
図４は図３のような干渉除去器１０８で前記検出器３０２の詳細構成を示す図である。
前記図４を参照すると、バッファ４０１は前記デシメーションフィルタ１０７で出力される一定区間の信号を貯蔵する。高速フーリエ変換器(Fast Fourier Transformer：ＦＦＴ)４０２は前記バッファ４０１で出力される信号を高速フーリエ変換する。絶対値計算器(Absolute calculator：ＡＢＳ)４０３は前記高速フーリエ変換された信号の絶対値、即ちエネルギー大きさを計算する。比較器４０４は前記計算された絶対値を所定臨界値と比較して、前記臨界値より大きな信号のみを出力する。ここで前記臨界値は受信しようとする信号に比べて相対的に非常に大きなエネルギー大きさを有する干渉周波数信号を検出するための値である。即ち、前記比較器４０４で出力される信号は干渉信号とみなす。
【００３０】
分類器(sorter)４０５は前記比較器４０４で出力される信号をエネルギー大きさ順序に整列(sorting)する。選択器４０６は前記分類器４０５から出力される信号中で、前記干渉除去フィルタの個数ｍに従って、最大ｍ個の候補(candidate)を選定した後、前記候補に対するフラグオン及び搬送波周波数を発生する。
【００３１】
前記図４に示されたような前記検出器３０２の動作を説明すると、前記バッファ４０１は一定区間の間に、前記デシメーションフィルタ１０７で出力されるサンプルを貯蔵し、前記高速フーリエ変換器４０２は前記バッファ４０１に貯蔵されたサンプルを高速にフーリエ変換して、所定個数の周波数信号を出力する。そして、前記絶対値計算器４０３は前記高速にフーリエ変換された周波数信号の絶対値を計算してエネルギー成分に変換する。以後、前記比較器４０４は前記絶対値計算器４０３で計算された絶対値を予め設定された臨界値と比較し、前記臨界値より大きな絶対値を有する信号を出力する。
【００３２】
前記分類器４０５では前記比較器４０４で出力される信号をエネルギー大きさの順に整列し、前記選択器４０６は前記分類器４０５により整列された信号中、エネルギーの大きさ順に最大ｍ個の候補を選定する。前記比較器４０４で出力される信号の数がｍ個より小さいと、その信号をすべて選定する。そして前記選定された候補を利用してフラグオン／オフ信号及び該当信号に対応される搬送波周波数を干渉除去フィルタ３１１乃至３１ｍに出力する。即ち、前記選定された信号の個数だけの干渉除去フィルタにフラグオン信号と前記選定された信号の搬送波周波数が提供される。
【００３３】
図５は図３のような干渉除去器１０８での前記干渉除去フィルタ３１１乃至３１ｍの詳細構成を示す図である。図５には一番目の干渉除去フィルタ３１１を示したが、他の干渉除去フィルタ３１２乃至３１ｍの構成もこれと同一である。
前記図５を参照すると、前記干渉除去フィルタ３１１は有限インパルス反応(Finite Impulse Response：ＦＩＲ)フィルタで構成され、前記ＦＩＲフィルタはｋ−１個のラッチ(latch)５１１〜５１ｋ−１と、ｋ個の乗算器５２１〜５２ｋと、１個の加算器５３１で構成される。前記干渉除去フィルタ３１１に入力される信号は一番目ラッチ５１１の入力になると同時に、一番目の乗算器５２１により該当するフィルタリング係数Ｈ０とかけられるようになる。また前記ラッチ５１１によりラッチされた信号は次のラッチ５１２の入力になる同時に、次の乗算器５２２により該当するフィルタリング係数Ｈ１とかけられるようになる。同一の方式に、最後のラッチ５１ｋ−１によりラッチされた信号は最後の乗算器５２ｋにより該当するフィルタリング係数Ｈｋとかけられる。前記乗算器５２１〜５２ｋの出力は加算器５３１により加算され、前記加算器５３１の出力は次の干渉除去フィルタの入力になる。
【００３４】
前記図５のフィルタリング係数は入力された信号中で該当する搬送波周波数を有する狭帯域干渉信号のみを除去することができるように決定され、前記フィルタリング係数を求める方法はよく知らせているので、ここでは説明を省略する。
【００３５】
【発明の効果】
上述したように移動通信システムで受信されるアナログ信号を高速のディジタル信号に変換し、前記ディジタル変換された信号をデシメーションフィルタを通じて基底帯域に変更した信号に対して狭帯域干渉信号を除去することによって、少ない材料費用と空間を占めりながら、優秀な干渉除去性能を得ることができる利点がある。
【図面の簡単な説明】
【図１】  本発明の実施形態による移動通信システムで狭帯域干渉信号を除去する装置の構成を示す図である。
【図２】  図１でのデシメーションフィルタの構成を示す図である。
【図３】  図１での干渉除去器の構成を示す図である。
【図４】  図３での検出器の構成を示す図である。
【図５】  図３での干渉除去器の構成を示す図である。
【符号の説明】
１０１      アンテナ
１０２      第１フィルタ
１０３      下降変換器
１０４      第２フィルタ
１０５      利得制御器
１０６      ディジタル変換器
１０７      デシメーションフィルタ
１０８      干渉除去器
１０９      モデム
２１１      第１フィルタ
２１２      第２フィルタ
【図１】
0003964777.tif 000002
【図２】
0003964777.tif 000003
【図３】
0003964777.tif 000004
【図４】
0003964777.tif 000005
【図５】
0003964777.tif 000006